(57)【要約】【課題】ブラシユニットの複数箇所からマイナスイオンを吹き出し送給して、マイナスイオンを髪に対して効果的に付着させることができる温風乾燥機を提供する。【解決手段】中空筒状の本体ケース１を、送風ファン６を収容する風洞部２と、イオン発生装置を収容する吹出部４とで構成する。吹出部４の吹出口１３に一群のブリッスル４０を備えたブラシユニット３を装着する。イオン発生装置は、吹出部４に分離配置される２個の放電電極２６とトランス２７などで構成する。ブラシユニット３に、乾燥風の送出口４４と、各放電電極２６に対応して設けられる２個のイオン送出口４６とを開口する。ブラシユニット３のブリッスル植設面において、各イオン送出口４６の外郭線と、これら外郭線どうしを結ぶ外接線とで囲まれる仮想領域Ｚを想定するとき、仮想領域Ｚ内の壁面にブリッスル４０Ａを植設する。【選択図】図１
2005168622.tif 000002
【特許請求の範囲】
【請求項１】
中空筒状の本体ケース（１）が、送風ファン（６）を収容する風洞部（２）と、イオン発生装置を収容する吹出部（４）とで構成されており、
吹出部（４）に、乾燥風を横向きに送出する吹出口（１３）が開口され、その外面に一群のブリッスル（４０）を備えたブラシユニット（３）が装着されており、
イオン発生装置は、吹出部（４）の長手方向に沿って分離配置される少なくとも２個の放電電極（２６）と、両電極（２６）に高電圧を印加するトランス（２７）とを含み、
ブラシユニット（３）には、乾燥風の送出口（４４）と、各放電電極（２６）に対応して設けられる複数個のイオン送出口（４６）とが開口されており、
ブラシユニット（３）のブリッスル植設面において、各イオン送出口（４６）の外郭線と、これら外郭線どうしを結ぶ外接線とで囲まれる仮想領域（Ｚ）を想定するとき、
仮想領域（Ｚ）内の壁面にブリッスル（４０Ａ）が植設してあることを特徴とする温風乾燥機。
【請求項２】
ブリッスル（４０Ａ）に隣接する仮想領域（Ｚ）内の壁面に、乾燥風の送出口（４４Ａ）が開口してある請求項１記載の温風乾燥機。
【請求項３】
吹出部（４）の吹出口（１３）を覆う吹出グリル（１４）に、乾燥風の送出口（１８）と、各放電電極（２６）に対応して設けられる複数個のイオン送出口（１７）とが開口されており、
仮想領域（Ｚ）と対向する吹出グリル（１４）の壁面に乾燥風の送出口（１８Ａ）が開口してある請求項２記載の温風乾燥機。
【請求項４】
吹出グリル（１４）の内面壁に、放電電極（２６）に向かって流れる乾燥風の流れを撹乱する突起（２０）が設けてある請求項３記載の温風乾燥機。
【請求項５】
吹出グリル（１４）の内面壁に設けた突起（２０）の先端が、吹出部（４）の内部に設けた固定壁で受け止め支持してある請求項４記載の温風乾燥機。
【請求項６】
吹出グリル（１４）の内面に、放電電極（２６）およびトランス（２７）を支持するホルダー（２３）と、内ケース（２４）とが接合されて、これら三者で乾燥風の通路が区画されており、
吹出グリル（１４）と、ホルダー（２３）と、内ケース（２４）との３者が、内ケース（２４）とホルダー（２３）を介して突起（２０）にねじ込まれるボルト（３８）で一体化されてユニット部品化してある請求項４または５記載の温風乾燥機。
【請求項７】
吹出グリル（１４）が、乾燥風の送出口（１８）が開口される前壁（１５）と、前壁（１５）に連続する左右一対の側壁（１６）とを含んで樋体状に形成されており、
側壁（１６）が内側壁（１６ａ）と外側壁（１６ｂ）とで内外二重に構成してある請求項３、４、５または６記載の温風乾燥機。
【発明の詳細な説明】
【技術分野】
【０００１】
本発明は、ヘアードライヤーやヘアーブロッサーなどの温風乾燥機、なかでもイオン発生装置を備えている温風乾燥機に関する。
【背景技術】
【０００２】
本発明の温風乾燥機に関して、イオン発生装置を備えているヘアードライヤーの基本形態は特許文献１に公知である。そこでは、中空筒状に形成される本体ケースの吹出部の内部にイオン発生装置を配置している。イオン発生装置は、放電電極と、放電電極に高電圧を供給するトランスと、回路基板等で構成してあり、これらの部品をホルダーに組み付けてユニット化し、吹出部に収容している。吹出部にはブラシユニットが配置してあり、その中央１箇所に開口したイオン出口の内部に放電電極が配置してある。
【０００３】
本発明のヘアードライヤーは、複数個の放電電極で生成したマイナスイオンを、乾燥風とともに髪に吹き付けるが、ヘアードライヤーにおいて、放電用の電極を複数個設けることは公知である（特許文献２参照）。そこでは、ブラシユニットの長手方向両側、および中央の３箇所にスリットを開口し、これら開口の内部に電極リードを張り渡し、電極リードの複数箇所にスリットへ向かって突出する高圧針電極を設けている。なお、このヘアードライヤーにおいては、髪の静電気を除去するために高圧針電極を設けている。
【０００４】
【特許文献１】特開２００３−２８４６０９号公報（段落番号００２９、図６）
【特許文献２】実公昭５８−１６３２３号公報（第３頁右欄１０〜３１行、第４図）
【発明の開示】
【発明が解決しようとする課題】
【０００５】
特許文献１のヘアードライヤーによれば、マイナスイオンを髪に吹き付けながら髪の乾燥を行える。しかし、マイナスイオンの吹出口がブラシユニットの中央１箇所に限られるので、髪に対してマイナスイオンを効果的に付着させるのが難しく、とくに長い髪や、髪の量が多い場合に、髪のパサつきを解消し潤いを与えるのに多くの時間が掛かってしまう。
【０００６】
本発明の目的は、ブラシユニットの複数箇所からマイナスイオンを吹き出し送給でき、したがって、マイナスイオンを髪に対して効果的に付着させることができる温風乾燥機を提供することにある。
【課題を解決するための手段】
【０００７】
本発明の温風乾燥機は、中空筒状の本体ケース１を、送風ファン６を収容する風洞部２と、イオン発生装置を収容する吹出部４とで構成する。吹出部４には、乾燥風を横向きに送出する吹出口１３が開口され、その外面に一群のブリッスル４０を備えたブラシユニット３が装着される。イオン発生装置は、吹出部４の長手方向に沿って分離配置される少なくとも２個の放電電極２６と、両電極２６に高電圧を印加するトランス２７とを含む。ブラシユニット３には、乾燥風の送出口４４と、各放電電極２６に対応して設けられる複数個のイオン送出口４６とが開口してある。ブラシユニット３のブリッスル植設面において、各イオン送出口４６の外郭線と、これら外郭線どうしを結ぶ外接線とで囲まれる仮想領域Ｚを想定するとき、仮想領域Ｚ内の壁面にブリッスル４０Ａが植設してあることを特徴とする（請求項１）。
【０００８】
前記ブリッスル４０Ａに隣接する仮想領域Ｚ内の壁面に、乾燥風の送出口４４Ａを開口する（請求項２）。
【０００９】
吹出部４の吹出口１３を覆う吹出グリル１４に、乾燥風の送出口１８と、各放電電極２６に対応して設けられる複数個のイオン送出口１７とを開口する。仮想領域Ｚと対向する吹出グリル１４の壁面に乾燥風の送出口１８Ａを開口する（請求項３）。
【００１０】
吹出グリル１４の内面壁に、放電電極２６に向かって流れる乾燥風の流れを撹乱する突起２０を設ける（請求項４）。
【００１１】
吹出グリル１４の内面壁に設けた突起２０の先端を、吹出部４の内部に設けた固定壁で受け止め支持する（請求項５）。
【００１２】
吹出グリル１４の内面に、放電電極２６およびトランス２７を支持するホルダー２３と、内ケース２４とを接合して、これら三者で乾燥風の通路を区画する。吹出グリル１４と、ホルダー２３と、内ケース２４との３者を、内ケース２４とホルダー２３を介して突起２０にねじ込まれるボルト３８で一体化しユニット部品化する（請求項６）。
【００１３】
吹出グリル１４を、乾燥風の送出口１８が開口される前壁１５と、前壁１５に連続する左右一対の側壁１６とを含んで樋体状に形成する。側壁１６を内側壁１６ａと外側壁１６ｂとで内外二重に構成する（請求項７）。
【発明の効果】
【００１４】
本発明では、吹出部４の内部に少なくとも２個の放電電極２６を設け、各放電電極２６に対応してブラシユニット３に設けられる複数個のイオン送出口４６から、マイナスイオンを乾燥風とともに供給できるようにするので、髪に対してマイナスイオンを効果的に付着させることができ、とくに長い髪や、髪の量が多い場合であっても、短時間で髪のパサつきを解消し、髪に潤いを与えることができる。イオン送出口４６の間の仮想領域Ｚ内の壁面にブリッスル４０Ａを設け、このブリッスル４０Ａで髪を捕捉し梳き流すようにするので、イオン送出口４６の間を通り抜ける髪束によって各イオン送出口４６が塞がれるのを確実に解消しながら、イオン送出口４６から吹き出されるマイナスイオンを髪束に効果的に付着させることができる（請求項１）。
【００１５】
前記ブリッスル４０Ａに隣接する仮想領域Ｚ内の壁面に、乾燥風の送出口４４Ａを開口すると、送出口４４Ａから乾燥風を吹き出し供給して、イオン送出口４６の間を通る髪を乾燥し整髪できる。イオン送出口４６の近傍に送出口４４Ａを設けるので、イオン送出口４６から吹き出されるマイナスイオンを送出口４４Ａから吹き出される乾燥風によって分散させ、イオン送出口４６の間を通る髪に均等に付着させることができる（請求項２）。
【００１６】
仮想領域Ｚと対向する吹出グリル１４の壁面に乾燥風の送出口１８Ａを開口した温風乾燥機によれば、イオン送出口４６に隣接する前記特定壁面の内部に滞留するマイナスイオンを、送出口１８Ａから乾燥風とともに吹き出すことができるので、マイナスイオンが特定壁面の内部に付着してマイナスに帯電するのを抑止でき、帯電を抑止できる分だけマイナスイオンの送出量を増加できる。また、イオン送出口が特定壁面を含む開口として形成してある場合には、異物がイオン送出口から吹出グリル１４内に入り込みやすく、イオン送出口の開口面積が大きい分だけ吹出グリル１４の強度も低下するが、上記のように特定壁面に乾燥風の送出口１８Ａを開口すると、異物の侵入を防止しながら、吹出グリル１４の強度が低下するのを解消できる（請求項３）。
【００１７】
吹出グリル１４の内面壁に突起２０を設け、この突起２０で放電電極２６に向かって流れる乾燥風の流れを撹乱できるようにすると、放電電極２６に向かって流れる乾燥風の流れを突起２０で撹乱し、撹乱された乾燥風によって、放電電極２６の周辺に滞留するマイナスイオンを強制的に吹き飛ばすことができるので、先の特定壁面の内側などがマイナスに帯電するのを防止し、マイナスイオンをさらに効果的に供給できる（請求項４）。
【００１８】
突起２０の先端を吹出部４の内部に設けた固定壁で受け止め支持すると、吹出グリル１４に作用する外力を、突起２０を介して固定壁に負担させることができるので、その分だけ吹出グリル１４の前壁１５の強度を向上して、落下衝撃に強い吹出グリル１４が得られる（請求項５）。
【００１９】
吹出グリル１４の内面にホルダー２３と、内ケース２４とを接合して、これら三者で乾燥風の通路を区画すると、本体ケース１が熱風に直接晒されるのを防止して、本体ケース１の吹出部４の表面温度を下げることができ、温風乾燥機の安全性を向上できる。さらに、吹出グリル１４と、ホルダー２３と、内ケース２４との三者を、突起２０にねじ込まれるボルト３８で一体化することにより、これら三者とイオン発生装置とをユニット化できるので、本体ケース１に対する組み立ての手間を著しく省くことができる利点もある（請求項６）。
【００２０】
吹出グリル１４の側壁１６を内側壁１６ａと外側壁１６ｂとで内外二重に構成すると、例えば熱風を送出しながら乾燥を行うとき、本体ケース１と接触する外側壁１６ｂの温度を、熱風に晒される内側壁１６ａの温度よりも低い状態に維持でき、したがって、本体ケース１の吹出部４の両側面が異常に加熱されるのを確実に防止できる（請求項７）。
【発明を実施するための最良の形態】
【００２１】
図１ないし図１１は本発明に係る温風乾燥機をヘアードライヤーに適用した実施例を示す。図２および図３においてヘアードライヤーは、左右に分割した左ケース１Ｌと右ケース１Ｒとを互いに接合して構成した中空筒状の本体ケース１を基本構造体にして構成してあり、グリップを兼ねる下半側の風洞部２と、ブラシユニット３が装着される上半側の吹出部４とを備えている。風洞部２の一側面の上部には、ヘアードライヤーの運転状態を切り換えるスイッチノブ５が設けてある。図１１に、左ケース１Ｌと右ケース１Ｒとを締結するビスを符号５５で示している。
【００２２】
図３に示すように、風洞部２の内部には、乾燥風を生起する送風ファン６と、送風ファン６を回転駆動するモーター７と、ヒーターユニット８とが、下側から順に直線列状に配置してある。送風ファン６は、風洞部２の下端に設けた吸込口１１から吸い込んだ空気を加圧して、ヒーターユニット８を介して吹出部４へ送給する。
【００２３】
ヒーターユニット８は、十文字状に組んだ絶縁枠にニクロム線９を螺旋状に巻き付け、その外周を金属薄板で形成した風洞筒１０で覆って構成してあり、風洞筒１０内を通過する乾燥風を加熱して温風や熱風を生成する。スイッチノブ５と対向する風洞筒１０の周面は平坦壁で形成してあり、この平坦壁とスイッチノブ５との間に確保された冷風通路に、スイッチノブ５で切り換え操作されるスイッチと、後述する回路基板２８とが配置してある。
【００２４】
図４において、吹出部４の前面壁の殆どは吹出口１３として開口してあり、その内部に組み込まれる吹出グリル１４によって開口全体が覆われている。吹出グリル１４は、外突状の湾曲面からなる前壁１５と左右一対の側壁１６とを含んで樋体状に形成した耐熱プラスチック材製の成形品からなり、前壁１５に２個のイオン送出口１７と、乾燥風の送出口１８の一群とが開口してある。熱風を送出しながら乾燥を行うとき、吹出グリル１４が加熱され、その熱によって素手では触れない温度にまで本体ケース１が加熱されることがある。このような異常な加熱を避けるために、図５に示すように、側壁１６を内側壁１６ａと外側壁１６ｂとで内外二重に構成している。
【００２５】
上下に間隔をあけて形成されるイオン送出口１７の内面には、後述する放電電極２６を保護するためのＹ字状の防護枠１９が設けてある。送出口１８の殆どは上下に長いスリットで形成するが、イオン送出口１７の上下の送出口１８は丸穴で形成する。上下のイオン送出口１７の間の壁面の中央内面には、後述するホルダー２３および内ケース２４を締結固定するためのねじボス（突起）２０が突設してある。
【００２６】
吹出グリル１４を囲む吹出口１３の周囲壁は、ブラシユニット３用の装着部になっており、この装着部にブラシユニット３を着脱可能に装着する。本体ケース１の左右には、ブラシユニット３の装着状態をロック保持する一対のロックボタン２１が設けてある（図４参照）。ブラシユニット３を本体ケース１に装着した状態では、髪のカールやくせ付けに適したヘアーブロッサーとして使用することができ、ブラシユニット３を取り外した状態では、専ら髪乾燥を行うヘアードライヤーとして使用できる。
【００２７】
吹出部４に設けた吹出グリル１４の内部には、マイナスイオンを生成するためのイオン発生装置と、イオン発生装置を支持するホルダー２３と、内ケース２４とが配置してある。図７においてイオン発生装置は、高電圧発生部２５と２個の放電電極２６とで構成する。高電圧発生部２５は、整流回路、パルス発生回路、および昇圧用のトランス２７とからなり、整流回路とパルス発生回路を構成する電気部品は、回路基板２８にひとまとめに実装してある。先に説明したように、回路基板２８は冷風通路に臨む本体ケース１の内面にビスで固定してある。必要があれば、回路基板２８はトランス２７の近傍に配置することができる。
【００２８】
図８および図９において、ホルダー２３は、後面が開口する角箱状の第１装填部３０と、第１装填部３０の下側に突設される上下に長い第２装填部３１を一体に形成した耐熱プラスチック材製の成形品からなる。第１装填部３０にトランス２７を嵌め込み装填し、第２装填部３１に２個の放電電極２６を組み付ける。そのために、第２装填部３１の上下端の前面に、放電電極２６を組むための円形のボス３２が突設してある。放電電極２６は、ボス３２の中央に固定される針状の中央電極２６ａと、ボス３２の周囲に嵌め込み固定されるリング状の周囲電極２６ｂと、ボス３２の内面に固定した絶縁筒３３とで構成する。
【００２９】
内ケース２４は、前面が開口する樋体状の耐熱プラスチック材製の成形品からなり、その内面上部に第２装填部３１を接合するための支持枠３５を突設し、支持枠３５の内面中央にビス座３６を突設する。図８に示すように内ケース２４の内面上端には、乾燥風を吹出グリル１４の側へ向かって変向案内するガイド壁３７が斜めに形成してある。
【００３０】
放電電極２６およびトランス２７が組み込まれたホルダー２３を内ケース２４に接合し、さらに吹出グリル１４を第１装填部３０に被せ付けるようにして内ケース２４に接合したうえで、ビス座３６およびホルダー２３に挿通したビス（ボルト）３８を、吹出グリル１４のねじボス２０にねじ込むことにより、吹出グリル１４とホルダー２３と内ケース２４との三者を一体化して１個の放電ユニットとして取り扱うことができる。ユニット化された三者間には、乾燥風の通路が区画される。図示していないが、吹出グリル１４と内ケース２４とは、両者の下端一側においてもビスで締結してある。
【００３１】
上記のように、吹出グリル１４、ホルダー２３、内ケース２４、をユニット化した状態において、上下の放電電極２６は吹出グリル１４のイオン送出口１７と正対している（図１１参照）。風洞筒１０から送出された乾燥風は、吹出グリル１４と内ケース２４とが対向する区画に入り込み、支持枠３５および第２装填部３１で左右に分けられながらガイド壁３７で変向案内されて、吹出グリル１４の送出口１８およびイオン送出口１７から吹き出される。このとき、放電電極２６で生成されたマイナスイオンが乾燥風とともに吹き出される。
【００３２】
図１０においてブラシユニット３は一群のブリッスル４０が植設してあるゴム製のベース４１と、ベース４１が嵌め込み装填されるブラシ枠４２と、ブラシ枠４２の内面側に装着されてベース４１を内側から支え保持する内枠４３とで構成してある。ベース４１および内枠４３には、それぞれ乾燥風の送出口４４・４５の一群と、上下２個のイオン送出口４６・４７とが開口してある。ブラシ枠４２の下部には三日月状の吹出口４９が開口してある。
【００３３】
ベース４１におけるイオン送出口４６は、ベース４１の前面側から組み付けられて内枠４３に係合固定される卵形の出口ピース４８に開口してある。出口ピース４８は、ベース４１の中途部を押さえ保持して、ベース壁が浮き上がるのを規制することにも役立っている。図１に示すように、ベース４１に形成される乾燥風の送出口４４は、出口ピース４８の周りを避けて、ブリッスル列の間に断続的に形成してある。出口ピース４８にはイオン送出口４６とは別に、円形の小さな送出口４４が開口してある。図１１に示すようにブラシユニット３を本体ケース１の装着部に装着した状態においては、イオン送出口４６・４７は、吹出グリル１４のイオン送出口１７と正対している。
【００３４】
図２に示すように、本体ケース１の風洞部２の正面には、左右ケース１Ｌ・１Ｒの接合線を隠す化粧パネル５１が装着してあり、その上側に花弁状の別の化粧ピース５２が固定してある。化粧ピース５２の上縁には滑り止め用のリブ５３が横一文字状に突設してある。このリブ５３は、風洞部２を握りしめた指が吹出口４９側へ滑るのを阻止するために設けられている。
【００３５】
本発明は、上記のように構成したヘアードライヤーにおいて、以下の構成を採用する点に特徴を有する。図１に示すブリッスル植設面の展開図において、上下のイオン送出口４６の外郭線と、これらの外郭線どうしを結ぶ外接線とで囲まれる仮想領域Ｚを想定するとき、仮想領域Ｚ内の壁面にブリッスル４０Ａを植設する。さらに、先のブリッスル４０Ａに隣接する仮想領域Ｚ内の壁面に乾燥風の送出口４４Ａを開口する。
【００３６】
上記のように、仮想領域Ｚ内の壁面にブリッスル４０Ａを植設すると、上下のイオン送出口４６の間に形成したブリッスル４０Ａによって髪を捕捉し、梳き流すことができるので、上下のイオン送出口４６の間を通り抜ける髪束によって各イオン送出口４６が塞がれるのを解消し、イオン送出口４６から吹き出されるマイナスイオンを効果的に付着させることができる。また、ブリッスル４０Ａに隣接する仮想領域Ｚ内の壁面に開口した送出口４４Ａから乾燥風を吹き出し供給して、上下のイオン送出口４６の間を通り抜ける髪を乾燥することができる。
【００３７】
吹出部４に上下一対の放電電極２６を設けると、１個の放電電極でマイナスイオンを生成する場合に比べてマイナスイオンの供給量を増加できるうえ、上下２箇所からマイナスイオンを同時に供給するので、長い髪や、髪の量が多い場合であっても、効果的にしかも均等にマイナスイオンを髪に付着させることができ、短時間で髪のパサつきを解消し潤いを与えることができる。先に説明したように吹出グリル１４には、乾燥風の送出口１８と、２個のイオン送出口１７を開口するが、図４に示すように、上記の仮想領域Ｚと対向する吹出グリル１４の壁面に乾燥風の送出口１８Ａを開口する。このように上下のイオン送出口１７・１７の間に形成される特定壁面に乾燥風の送出口１８Ａを開口すると、壁面内部にマイナスイオンが付着してマイナスに帯電するのを抑止でき、帯電を抑止できる分だけマイナスイオンの送出量を増加できる。
【００３８】
因みに、イオン送出口を、特定壁面を含んで上下に長い長円状に形成して、その上下に放電電極２６を臨ませる場合には、異物がイオン送出口から吹出グリル１４内に入り込みやすく、イオン送出口の開口面積が大きい分だけ吹出グリル１４の強度も低下する。しかし、上記のように特定壁面に乾燥風の送出口１８Ａを開口すると、異物の侵入を防止しながら、吹出グリル１４の強度が低下するのを解消できる。
【００３９】
仮想領域Ｚと対向する吹出グリル１４の内面壁にねじボス（突起）２０を設けると、風下側の放電電極２６に向かって流れる乾燥風の流れをねじボス２０で撹乱できるので、撹乱された乾燥風によって、放電電極２６の周辺に滞留するマイナスイオンを強制的に吹き飛ばすことができ、先の特定壁面の内側などがマイナスに帯電するのをよく防止できる。この種の突起は、風上側の放電電極２６の風上側にも設けることができ、必要があれば、複数個の突起で乾燥風の流れを撹乱することができる。
【００４０】
上記のねじボス２０の先端は、ホルダー２３の第２装填部３１の面壁（固定壁）で受け止め支持される。そのため、吹出グリル１４に作用する外力を、ねじボス２０を介して第２装填部３１の面壁に負担させることができ、その分だけ吹出グリル１４の前壁１５の強度を向上できる。
【００４１】
図１２はブリッスルと送出口との配置構造の別実施例を示す。図１２（ａ）では、ブリッスル４０の植設面に、２個のイオン送出口４６を両者の開口中心どうしを結ぶ線が斜めになるように配置し、一対のイオン送出口４６の間に位置する仮想領域Ｚの壁面にブリッスル４０Ａを設け、さらに、その両側に乾燥風の送出口４４Ａを形成した。この実施例における吹出グリル１４は、一対のイオン送出口４６の配置位置に対応してイオン送出口１７が配置してあることは言うまでもない。他は先の実施例と同じであるので、同じ部材に同じ符号を付してその説明を省略する。以下においても同様に扱う。
【００４２】
図１２（ｂ）では、ブリッスル４０の植設面に、３個のイオン送出口４６を三角形状に配置し、各イオン送出口４６の外郭線に外接する接線で囲まれる仮想領域Ｚの壁面に、ブリッスル４０Ａの列を３列設け、さらに、各ブリッスル列に隣接して乾燥風の送出口４４Ａを形成した。
【００４３】
図１２（ｃ）では、ブリッスル４０の植設面に、３個のイオン送出口４６を直線列状に配置し、各イオン送出口４６の外郭線に外接する接線で囲まれる仮想領域Ｚの壁面に、ブリッスル４０Ａを設け、さらに、各ブリッスル列に隣接して乾燥風の送出口４４Ａを形成した。
【００４４】
上記の実施例では、風洞部２と吹出部４とが一体に形成してある場合について説明したが、その必要はなく、吹出部４が風洞部２に対して着脱自在に装着できる構造であってもよい。その場合には両者２・４をコネクターを介して電気的に接続する。図１において、仮想領域Ｚの左右中央に送出口４４Ａを開口し、その両側にブリッスル４０Ａを形成することができる。送出口４４Ａを円形の穴で形成する場合には、ブリッスル４０Ａを送出口４４Ａの周縁に沿って同心円状に配置することができる。
【００４５】
実施例で説明したブリッスル４０・４０Ａはプラスチック成形品であるが、本発明におけるブリッスル４０・４０Ａは、櫛刃や獣毛で形成してあってもよい。
【図面の簡単な説明】
【００４６】
【図１】ブリッスルと送出口との配置構造を示す展開図である。
【図２】ヘアードライヤーの正面図である。
【図３】ヘアードライヤーの縦断側面図である。
【図４】ブラシユニットを分離した状態の正面図である。
【図５】図２におけるＡ−Ａ線断面図である。
【図６】図２におけるＢ−Ｂ線断面図である。
【図７】イオン発生装置を概念的に示す説明図である。
【図８】吹出グリルとイオン発生装置の組み付け構造を示す分解断面図である。
【図９】図１１におけるＣ−Ｃ線断面図である。
【図１０】ブラシユニットの分解断面図である。
【図１１】吹出部の縦断側面図である。
【図１２】ブリッスルと送出口との配置構造の別実施例を示す展開図である。
【符号の説明】
【００４７】
１  本体ケース
２  風洞部
３  ブラシユニット
４  吹出部
６  送風ファン
１３  吹出口
１４  吹出グリル
１７  イオン送出口
１８  送出口
１８Ａ  送出口
２０  突起
２３  ホルダー
２４  内ケース
２６  放電電極
２７  トランス
３８  ボルト
４０  ブリッスル
４０Ａ  ブリッスル
４４  送出口
４４Ａ  送出口
４６  イオン送出口
Ｚ  仮想領域
【図１】
2005168622.tif 000003
【図２】
2005168622.tif 000004
【図３】
2005168622.tif 000005
【図４】
2005168622.tif 000006
【図５】
2005168622.tif 000007
【図６】
2005168622.tif 000008
【図７】
2005168622.tif 000009
【図８】
2005168622.tif 000010
【図９】
2005168622.tif 000011
【図１０】
2005168622.tif 000012
【図１１】
2005168622.tif 000013
【図１２】
2005168622.tif 000014